【手続補正書】
【提出日】平成19年4月11日(2007.4.11)
【手続補正１】
【補正対象書類名】明細書
【補正対象項目名】発明の名称
【補正方法】変更
【補正の内容】
【発明の名称】表示装置の駆動方法
【手続補正２】
【補正対象書類名】特許請求の範囲
【補正対象項目名】全文
【補正方法】変更
【補正の内容】
【特許請求の範囲】
【請求項１】
Ｐ型トランジスタ及び液晶素子を有し、前記Ｐ型トランジスタのゲート電極は走査線に接続され、ソース電極及びドレイン電極の一方は信号線に接続され、ソース電極及びドレイン電極の他方は前記液晶素子が含む第１の電極又は第２の電極に接続された表示装置の駆動方法において、
前記Ｐ型トランジスタをオンにして、前記信号線の電位と前記Ｐ型トランジスタのドレイン電極の電位を同電位にする第１のステップと、
前記走査線の電位と、前記Ｐ型トランジスタの前記ドレイン電極の電位を同電位にする第２のステップを有することを特徴とする表示装置の駆動方法。
【請求項２】
請求項１において、
前記第１のステップにおいて、前記液晶素子が含む前記第１の電極と前記第２の電極の電位を同電位にすることを特徴とする表示装置の駆動方法。
【請求項３】
請求項１において、
前記第２のステップにおいて、前記走査線の電位と、前記Ｐ型トランジスタの前記ドレイン電極の電位との電位差が｜２４｜Ｖ以上になるように設定することを特徴とする表示装置の駆動方法。
【請求項４】
Ｐ型トランジスタ及び発光素子を有し、前記Ｐ型トランジスタのゲート電極は走査線に接続され、ソース電極及びドレイン電極の一方は信号線に接続され、ソース電極及びドレイン電極の他方は前記発光素子が含む第１の電極又は第２の電極に電気的に接続された表示装置の駆動方法において、
前記Ｐ型トランジスタをオンにして、前記信号線の電位と前記Ｐ型トランジスタのドレイン電極の電位を同電位にする第１のステップと、
前記走査線の電位と、前記Ｐ型トランジスタの前記ドレイン電極の電位を同電位にする第２のステップを有することを特徴とする表示装置の駆動方法。
【請求項５】
請求項４において、
前記第２のステップにおいて、前記走査線の電位と、前記Ｐ型トランジスタの前記ドレイン電極の電位との電位差が｜２４｜Ｖ以上になるように設定することを特徴とする表示装置の駆動方法。
【請求項６】
エージング用回路と画素を有し、
前記エージング用回路は、直列に接続された第１のＰ型トランジスタ及び第２のＰ型トランジスタを含み、前記第２のＰ型トランジスタのソース電極又はドレイン電極が第１の電源に接続され、前記第１のＰ型トランジスタ及び前記第２のＰ型トランジスタの間に走査線が接続され、
前記画素は、ゲート電極が前記走査線に接続され、ソース電極及びドレイン電極の一方が信号線に接続された第３のＰ型トランジスタと、第１の電極が前記第３のＰ型トランジスタの前記ソース電極及び前記ドレイン電極の他方に接続され、第２の電極が第２の電源に接続された液晶素子とを含む表示装置の駆動方法であって、
前記第１のＰ型トランジスタをオフにし、前記第２のＰ型トランジスタをオンにして、前記第１の電源と前記走査線の電位を同電位にすることを特徴とする表示装置の駆動方法。
【請求項７】
請求項６において、
前記第１の電源の電位と、前記第３のＰ型トランジスタのドレイン電圧との電位差は、｜２４｜Ｖ以上であることを特徴とする表示装置の駆動方法。
【請求項８】
第１のエージング用回路、第２のエージング用回路及び画素を有し、
前記第１のエージング用回路は、直列に接続された第１のＰ型トランジスタ及び第２のＰ型トランジスタを含み、前記第２のＰ型トランジスタのソース電極又はドレイン電極が第１の電源に接続され、前記第１のＰ型トランジスタ及び前記第２のＰ型トランジスタの間に信号線が接続され、
前記第２のエージング用回路は、直列に接続された第３のＰ型トランジスタ及び第４のＰ型トランジスタを含み、前記第４のＰ型トランジスタのソース電極又はドレイン電極が第２の電源に接続され、前記第３のＰ型トランジスタ及び前記第４のＰ型トランジスタの間に走査線が接続され、
前記画素は、ゲート電極が前記走査線に接続され、ソース電極及びドレイン電極の一方が前記信号線に接続された第５のＰ型トランジスタと、第１の電極が前記第５のＰ型トランジスタのソース電極及びドレイン電極の他方に接続され、第２の電極が第３の電源に接続された液晶素子とを含む表示装置の駆動方法において、
前記第１のＰ型トランジスタをオフにし、前記第２のＰ型トランジスタ及び前記第５のＰ型トランジスタをオンにして、前記第１の電源、前記信号線及び前記液晶素子が含む前記第１の電極の電位を同電位にする第１のステップと、
前記第１のＰ型トランジスタ及び前記第３のＰ型トランジスタをオフにし、前記第２のＰ型トランジスタ及び前記第４のＰ型トランジスタをオンにして、前記第１の電源と前記信号線を同電位にし、前記第２の電源と前記走査線の電位を同電位にする第２のステップを有することを特徴とする表示装置の駆動方法。
【請求項９】
請求項８において、
前記第１のステップにおける前記第１の電源の電位と前記第３の電源の電位は、同電位であることを特徴とする表示装置の駆動方法。
【請求項１０】
請求項８において、
前記第１のステップにおける、前記第１の電源、前記第３の電源、前記液晶素子が含む前記第１の電極及び前記第２の電極、及び前記信号線の電位は、同電位であることを特徴とする表示装置の駆動方法。
【請求項１１】
請求項８において、
前記第１のステップ及び前記第２のステップの各ステップにおける前記第２の電源の電位は異なることを特徴とする表示装置の駆動方法。
【請求項１２】
請求項８において、
前記第１のステップにおける前記第１の電源の電位と、前記第２のステップにおける前記第２の電源の電位の電位差は｜２４｜Ｖ以上であることを特徴とする表示装置の駆動方法。
【請求項１３】
エージング用回路と画素を有し、
前記エージング用回路は、直列に接続された第１のＰ型トランジスタ及び第２のＰ型トランジスタを含み、前記第２のＰ型トランジスタのソース電極又はドレイン電極が第１の電源に接続され、前記第１のＰ型トランジスタ及び前記第２のＰ型トランジスタの間に走査線が接続され、
前記画素は、ゲート電極が前記走査線に接続され、ソース電極及びドレイン電極の一方が信号線に接続された第３のＰ型トランジスタと、第１の電極又は第２の電極が第２の電源に電気的に接続された発光素子を含む表示装置の駆動方法において、
前記第１のＰ型トランジスタをオフにし、前記第２のＰ型トランジスタをオンにして、前記第１の電源と前記走査線の電位を同電位にすることを特徴とする表示装置の駆動方法。
【請求項１４】
請求項１３において、
前記第１の電源の電位と、前記第３のＰ型トランジスタのドレイン電圧との電位差は、｜２４｜Ｖ以上であることを特徴とする表示装置の駆動方法。
【請求項１５】
エージング用回路と画素を有し、
前記エージング用回路は、直列に接続された第１のＰ型トランジスタ及び第２のＰ型トランジスタを含み、前記第２のＰ型トランジスタのソース電極又はドレイン電極が第１の電源に接続され、前記第１のＰ型トランジスタ及び前記第２のＰ型トランジスタの間に走査線が接続され、
前記画素は、ゲート電極が前記走査線に接続され、ソース電極及びドレイン電極の一方が信号線に接続された第３のＰ型トランジスタと、第１の電極又は第２の電極が第２の電源に電気的に接続された発光素子を含む表示装置の駆動方法において、
前記第３のＰ型トランジスタの前記ソース電極及び前記ドレイン電極の他方と、前記第２の電源の電位を同電位にする第１のステップと、
前記第１のＰ型トランジスタをオフにし、前記第２のＰ型トランジスタをオンにして、前記第１の電源と前記走査線の電位を同電位にする第２のステップを有することを特徴とする表示装置の駆動方法。
【請求項１６】
請求項１５において、
前記第１の電源の電位と前記第２の電源の電位の電位差は、｜２４｜Ｖ以上であることを特徴とする表示装置の駆動方法。
【請求項１７】
第１のエージング用回路、第２のエージング用回路及び画素を有し、
前記第１のエージング用回路は、直列に接続された第１のＰ型トランジスタ及び第２のＰ型トランジスタを含み、前記第２のＰ型トランジスタのソース電極又はドレイン電極が第１の電源に接続され、前記第１のＰ型トランジスタ及び前記第２のＰ型トランジスタの間に第１の走査線が接続され、
前記第２のエージング用回路は、直列に接続された第３のＰ型トランジスタ及び第４のＰ型トランジスタを含み、前記第４のＰ型トランジスタのソース電極又はドレイン電極が第２の電源に接続され、前記第３のＰ型トランジスタ及び前記第４のＰ型トランジスタの間に第２の走査線が接続され、
前記画素は、ゲート電極が前記第１の走査線に接続され、ソース電極及びドレイン電極の一方が信号線に接続された第５のＰ型トランジスタと、ゲート電極が前記第２の走査線に接続され、ソース電極又はドレイン電極が第３の電源に接続された第６のＰ型トランジスタと、第１の電極又は第２の電極が前記第３の電源に電気的に接続された発光素子とを含む表示装置の駆動方法において、
前記第５のＰ型トランジスタの前記ソース電極及び前記ドレイン電極の他方と、前記第３の電源の電位を同電位にする第１のステップと、
前記第１のＰ型トランジスタ及び前記第３のＰ型トランジスタをオフにし、前記第２のＰ型トランジスタ及び前記第４のＰ型トランジスタをオンにして、前記第１の電源と前記第１の走査線の電位を同電位にし、前記第２の電源と前記第２の走査線の電位を同電位にする第２のステップを有することを特徴とする表示装置の駆動方法。
【請求項１８】
請求項１７において、
前記第１の電源と前記第３の電源の電位の電位差は、｜２４｜Ｖ以上であることを特徴とする表示装置の駆動方法。
【請求項１９】
請求項１７において、
前記第２の電源と前記第３の電源の電位の電位差は、｜２４｜Ｖ以上であることを特徴とする表示装置の駆動方法。